(57)【要約】【課題】蓋を完全に閉じた状態でのメモリカードの装着状態を確実に判別可能とする。【解決手段】機器本体２の内部に配設されてメモリカード７が装着されるカード装着部５、機器本体２に開口して形成されてカード装着部５へのメモリカード７の装着に際してメモリカード７が挿入されるカードスロット１３、および機器本体２に回動自在に取り付けられてカードスロット１３を覆う閉位置とメモリカード７の挿入を可能な状態にカードスロット１３を露出させる開位置との間で回動する蓋体１５を有する測定器１であって、蓋体１５は、裏面に突起部１６が形成されると共に、開位置から閉位置に回動される際に、カードスロット１３を介してカード装着部５に不完全な状態で装着されているメモリカード７の挿入方向後端面を突起部１６を介して押動することによってメモリカード７をカード装着部５に押し込み可能に構成されている。【選択図】図１
2008269011.tif 000002
【特許請求の範囲】
【請求項１】
機器本体内部に配設されてメモリカードが装着されるカード装着部、前記機器本体に開口して形成されて前記カード装着部への前記メモリカードの装着に際して当該メモリカードが挿入されるカードスロット、および前記機器本体に回動自在に取り付けられて当該カードスロットを覆う閉位置と前記メモリカードの挿入を可能な状態に当該カードスロットを露出させる開位置との間で回動する蓋体を有する電子機器であって、
前記蓋体は、裏面に突起部が形成されると共に、前記開位置から前記閉位置に回動される際に、前記カードスロットを介して前記カード装着部に不完全な状態で装着されている前記メモリカードの挿入方向後端面を前記突起部を介して押動することによって当該メモリカードを当該カード装着部に押し込み可能に構成されている電子機器。
【請求項２】
前記機器本体における前記カードスロットの近傍に当該機器本体に対して突出入可能に配設されて、突出状態において前記メモリカードの装着方向に沿って当該機器本体内に押し込まれることにより、前記カード装着部に挿入されている前記メモリカードを排出するイジェクトボタンを備え、
前記蓋体は、前記開位置から前記閉位置に回動される際に、前記裏面が前記突出状態の前記イジェクトボタンに当接して押動する請求項１記載の電子機器。
【発明の詳細な説明】
【技術分野】
【０００１】
本発明は、機器本体に回動自在に取り付けられてカードスロットを覆う閉位置とカードスロットへのメモリカードの挿入を可能な状態にカードスロットを露出させる開位置との間で回動する蓋体を有する電子機器に関するものである。
【背景技術】
【０００２】
この種の電子機器として、特開平９−１４６８４６号公報に開示された電子機器（データ収集装置）が知られている。この電子機器は、メモリカード（ＰＣカード）が挿入されるカード挿入部と、カード挿入部を覆う開閉可能な蓋と、蓋の開閉状態を検出する検出スイッチと、カード挿入部に挿入されたメモリカードにデータの書き込み処理が行われている場合に蓋が開かれたことを検出スイッチが検出したときにデータを管理するデータ管理情報をカード挿入部に挿入されているメモリカードに書き込む保護処理を行うＣＰＵとを備えている。この場合、蓋は、裏側に垂直に取り付けられた支持板の端部が軸により回動自在に支持されることにより、この軸を中心として回動自在となっている。また、蓋の下方に、カード挿入部とイジェクトボタンとが近接して設けられている。
【０００３】
この電子機器では、利用者が蓋を開いてからメモリカードを抜き出すまでにある程度の時間がかかるので、ＣＰＵがメモリカードに保護処理を行うための時間が確保される。したがって、電子機器の内部で自動的にデータ収集処理が行われ、メモリカードへのアクセスが続けられているときに、利用者がアクセス中であることを知らずにメモリカードを抜き出しても、メモリカードの記憶内容が確実に保護される。
【特許文献１】特開平９−１４６８４６号公報（第３，４頁、第１−２図）
【発明の開示】
【発明が解決しようとする課題】
【０００４】
ところが、上記の電子機器には、以下の問題点がある。すなわち、この電子機器では、カード挿入部に不完全な状態（完全な挿入状態から若干突出した状態）で挿入されたメモリカードと蓋との関係が何ら規定されていない。このため、この電子機器には、メモリカードが不完全な状態でカード挿入部に挿入されていたとしても、完全な状態で挿入された状態と同様にして蓋が閉じられてしまうことがある。したがって、この電子機器には、蓋を完全に閉じた状態では、メモリカードがカード挿入部に完全に装着されているか否かを判別できないという問題点が存在している。
【０００５】
本発明は、かかる問題点に鑑みてなされたものであり、蓋を完全に閉じた状態でのメモリカードの装着状態を確実に判別し得る電子機器を提供することを主目的とする。
【課題を解決するための手段】
【０００６】
上記目的を達成すべく請求項１記載の電子機器は、機器本体内部に配設されてメモリカードが装着されるカード装着部、前記機器本体に開口して形成されて前記カード装着部への前記メモリカードの装着に際して当該メモリカードが挿入されるカードスロット、および前記機器本体に回動自在に取り付けられて当該カードスロットを覆う閉位置と前記メモリカードの挿入を可能な状態に当該カードスロットを露出させる開位置との間で回動する蓋体を有する電子機器であって、前記蓋体は、裏面に突起部が形成されると共に、前記開位置から前記閉位置に回動される際に、前記カードスロットを介して前記カード装着部に不完全な状態で装着されている前記メモリカードの挿入方向後端面を前記突起部を介して押動することによって当該メモリカードを当該カード装着部に押し込み可能に構成されている。
【０００７】
請求項２記載の電子機器は、請求項１記載の電子機器において、前記機器本体における前記カードスロットの近傍に当該機器本体に対して突出入可能に配設されて、突出状態において前記メモリカードの装着方向に沿って当該機器本体内に押し込まれることにより、前記カード装着部に挿入されている前記メモリカードを排出するイジェクトボタンを備え、前記蓋体は、前記開位置から前記閉位置に回動される際に、前記裏面が前記突出状態の前記イジェクトボタンに当接して押動する。
【発明の効果】
【０００８】
請求項１記載の電子機器では、蓋体の裏面に突起部が形成されると共に、蓋体が開位置から閉位置に回動される際に、カードスロットを介してカード装着部に不完全な状態で装着されているメモリカードの挿入方向後端面を突起部を介して押動することによってメモリカードをカード装着部に押し込み可能に構成されている。このため、この電子機器によれば、カード装着部にメモリカードが不完全な状態で装着されていたとしても、蓋体を閉位置まで回動させて、突起部を介して蓋体でメモリカードをカード装着部内に押し込むことにより、メモリカードを完全な状態でカード装着部に装着させることができる。したがって、メモリカードのカード装着部への装着状態において蓋体が閉位置にあるときには、メモリカードは常に完全な状態でカード装着部に装着されていると判別することができる。
【０００９】
また、請求項２記載の電子機器では、蓋体が開位置から閉位置に回動される際に、蓋体の裏面が突出状態のイジェクトボタンに当接して押動する。したがって、この電子機器によれば、イジェクトボタンが排出可能位置にある状態においてメモリカードをカード装着部に装着して、イジェクトボタンが突出状態（排出可能位置にある状態）となっているときにおいて、蓋体を閉位置に回動させようとしたとしても、蓋体によってイジェクトボタンが機器本体内に押し込まれることでカードスロットから排出されるメモリカードが蓋体と当接するため、蓋体の閉位置への回動が阻止される。したがって、この電子機器によれば、利用者は、回動させようとしている蓋体の回動が阻止されることにより、イジェクトボタンを排出可能位置に突出させたままの状態でメモリカードをカード装着部に誤って装着したことを認識することができる。
【発明を実施するための最良の形態】
【００１０】
以下、添付図面を参照して、本発明に係る電子機器の最良の形態について説明する。なお、電子機器の一例として測定器を例に挙げて説明する。
【００１１】
測定器１は、一例として、図１に示すように、機器本体２、外部インターフェース部（以下、「外部Ｉ／Ｆ部」ともいう）３、メモリインターフェース部（以下、「メモリＩ／Ｆ部」ともいう）４、カード装着部５および制御部６を備え、外部Ｉ／Ｆ部３を介して取得した測定データＤ１をカード装着部５に装着されているメモリカード７に記憶可能に構成されている。
【００１２】
機器本体２は測定器１の筐体（ケース）であって、図１に示すように、その内部にメモリＩ／Ｆ部４、カード装着部５および制御部６が配設されている。また、機器本体２のパネル面１１には、操作スイッチ、表示部および電源スイッチなど（いずれも図示せず）と共に、外部Ｉ／Ｆ部３が配設されている。また、パネル面１１の一部には、図１，２に示すように、平面視長方形の凹部１２が形成されており、凹部１２の底面１２ａには、カード装着部５と連通するカードスロット（長方形状の孔）１３、および後述するイジェクトボタンの先端部を突設させるための挿通孔１４が開口して形成されている。この場合、カードスロット１３は、その長手方向が底面１２ａの長手方向と平行となるように形成されている。
【００１３】
また、パネル面１１には、カードスロット１３を覆う閉位置（図１，３に示す位置）とカードスロット１３へのメモリカード７の挿入を可能とする開位置（図２に示す位置）との間で回動する蓋体１５が回動自在に取り付けられている。具体的には、蓋体１５は、凹部１２の平面形状に合わせて長方形の平板体に形成されて、図２に示すように、一辺（本例では長辺）の各端部が凹部１２の対向する壁面１２ｂ，１２ｃに一例として凹凸嵌合などの支持構造によって取り付けられることにより、軸線Ａ（カードスロット１３の長手方向と平行な軸線。図１，２参照）を中心として回動可能となっている。また、蓋体１５は、閉位置において、図１，３に示すように、その表面がパネル面１１とほぼ面一となるように、その厚みおよび壁面１２ｂ，１２ｃへの取り付け位置などが規定されている。また、蓋体１５における壁面１２ｂ，１２ｃに取り付けられた前述の一辺と平行な他の一辺側には、図１〜３に示すように、閉位置の蓋体１５を容易に開けることができるように、指を掛けるための引っ掛け部１５ａが形成されている。
【００１４】
また、蓋体１５の裏面には、図１，２に示すように、蓋体１５を閉位置まで回動させたときにカードスロット１３を介してカード装着部５に不完全な状態で装着されているメモリカード７の挿入方向後端面に当接する位置に、１または複数（本例では一例として２つ）の突起部１６が形成されている。また、各突起部１６は、蓋体１５が閉位置に位置している状態においてカードスロット１３の真上に位置するように、カードスロット１３の長手方向に沿って互いに離間した状態で並設されている。さらに、各突起部１６は、カードスロット１３から挿入されたメモリカード７がカード装着部５に完全に装着された状態において蓋体１５が閉位置に回動された際に、その先端がメモリカード７における挿入方向後端面（図１における左端面）と接触するか、または接触しないまでも両者間の隙間が僅かな長さとなるように、その突出長が規定されている。
【００１５】
外部Ｉ／Ｆ部３は、測定対象体（例えば他の機器）と接続される測定ケーブルやプローブなどを接続するためのコネクタ（いずれも図示せず）を備えて構成されている。また、外部Ｉ／Ｆ部３は、測定対象体の測定データＤ１を測定ケーブルを介して入力した際には、この測定データＤ１を制御部６に出力する。制御部６は、例えばＣＰＵおよび内部メモリ（いずれも図示せず）を備え、外部Ｉ／Ｆ部３から出力される測定データＤ１を取り込んで、メモリＩ／Ｆ部４に出力する。メモリＩ／Ｆ部４は、制御部６の制御下で、制御部６から出力される測定データＤ１をカード装着部５に装着されているメモリカード７に記憶させる。
【００１６】
カード装着部５は、メモリカード７が着脱自在に装着される不図示のフレーム、このフレームにメモリカード７の装着方向に沿ってスライド自在に取り付けられたダブルプッシュ式のイジェクトボタン５ａ、およびフレームに取り付けられてイジェクトボタン５ａと連動することによってイジェクトボタン５ａに印加されている力を利用して装着状態のメモリカード７をフレームから排出させる不図示の排出機構（押し出し機構）を備えた公知のカード用コネクタ（例えば、日本航空電子工業（株）製のＪＣ２６Ｅシリーズ）で構成されている。また、カード装着部５は、図１に示すように、機器本体２内におけるカードスロット１３の近傍に、フレームがカードスロット１３と連通し、かつ図２に示すようにイジェクトボタン５ａの先端部がパネル面１１の挿通孔１４に挿通された状態で配設されている。この場合、このカード装着部５では、イジェクトボタン５ａは、機器本体２の凹部１２における底面１２ａに対して突出入可能に構成されており、凹部１２の底面１２ａからその先端面が若干（約１ｍｍ以下）突出する位置（閉位置にある蓋体１５と干渉しない位置）を基準位置として、この基準位置よりも所定距離（数ミリ）だけ奥側に位置するロック位置まで押動されたときにはロック状態が解除されて、その後に押動が解除されたときには、基準位置を超えて排出可能位置（先端面が底面１２ａから約１０ｍｍ突出する位置）まで突出する（本発明における突出状態）。また、イジェクトボタン５ａは、この状態において、排出可能位置から基準位置まで押動されたときには、排出機構と連動してフレームに装着されているメモリカード７を排出させる。また、イジェクトボタン５ａは、基準位置を超えてロック位置まで押動されることにより、再度、ロック状態に移行する。このロック状態では、イジェクトボタン５ａは、その最大突出位置が基準位置に規制される。
【００１７】
次に、測定器１へのメモリカード７の装着方法について図面を参照して説明する。
【００１８】
まず、蓋体１５が閉位置に位置している図３に示す状態において、蓋体１５の引っ掛け部１５ａに指を掛けて蓋体１５を引いて、図２に示す開位置まで回動させる。これにより、凹部１２の底面１２ａに形成されたカードスロット１３が、メモリカード７を挿入可能な状態に露出する。この状態では、イジェクトボタン５ａは、同図に示すように、蓋体１５と干渉しない基準位置に位置している。
【００１９】
次いで、図２に示すように、底面１２ａに対して直交する方向からメモリカード７をカードスロット１３を介してカード装着部５内に挿入する。メモリカード７をカード装着部５に完全に装着させた状態では、図４に示すように、メモリカード７は、その挿入方向後端面が凹部１２の底面１２ａから１〜２ｍｍ程度突出した状態となっている。最後に、図４に示す開位置にある蓋体１５を閉位置に向けて回動させて、凹部１２を蓋体１５で覆う。これにより、メモリカード７のカード装着部５への装着が完了する。
【００２０】
続いて、測定器１からのメモリカード７の取り出し方法について、図面を参照して説明する。
【００２１】
まず、図３に示す閉位置にある蓋体１５を開位置まで回動させて、凹部１２を開放（露出）させる（図４に示す状態にする）。次いで、イジェクトボタン５ａを挿通孔１４内に押し込む。この押し込みにより、イジェクトボタン５ａはロック位置に達して、ロック状態が解除される。このため、イジェクトボタン５ａへの押動を解除したときには、イジェクトボタン５ａは、図５に示す排出可能位置まで突出する。続いて、この状態にあるイジェクトボタン５ａを挿通孔１４内に、ロック位置まで押し込む。このイジェクトボタン５ａの押し込みに連動して、カード装着部５の排出機構が作動して、カード装着部５のフレームに装着されているメモリカード７がフレーム内において排出方向に移動させられる。これにより、図６に示すように、メモリカード７は、その挿入方向後端面が凹部１２の底面１２ａから突出する。なお、イジェクトボタン５ａは、ロック位置まで押動されてロック状態に移行するため、イジェクトボタン５ａへの押動を解除した後には、その最大突出位置が基準位置に規制される。最後に、突出している挿入方向後端部を指で摘んでメモリカード７を引き抜く。これにより、メモリカード７の測定器１からの（具体的にはカード装着部５からの）取り出しが完了する。
【００２２】
一方、測定器１へのメモリカード７の装着に際して、メモリカード７のカード装着部５への挿入が不完全であり、例えば、図６に示すように、メモリカード７の挿入方向後端部が底面１２ａから大きく突出している状態であったとしても、この測定器１では、蓋体１５を閉位置に向けて回動させたときに、突起部１６が、図７に示すように、蓋体１５が閉位置に至る前にメモリカード７の挿入方向後端面と当接する。また、前述したように、突起部１６の突出長は、メモリカード７がカード装着部５に完全に装着され、かつ蓋体１５が閉位置に位置しているときに、その先端がメモリカード７における挿入方向後端面とほぼ接触するように規定されている。このため、メモリカード７は、閉位置に向けて回動する蓋体１５によって突起部１６を介してカード装着部５内に押動されて（押し込まれて）、蓋体１５が閉位置に達した時点で図１に示すような完全な状態でカード装着部５に装着される。
【００２３】
他方、イジェクトボタン５ａが排出可能位置にある状態において、メモリカード７をカード装着部５に装着したときには、図５に示すように、イジェクトボタン５ａは、突出したままの状態となる。この状態において、蓋体１５を閉位置に回動させようとしたときには、蓋体１５によってイジェクトボタン５ａが挿通孔１４内に押し込まれるため、イジェクトボタン５ａの押し込みに連動して排出機構が作動する結果、カード装着部５に装着されているメモリカード７は、カードスロット１３から突出して、図８に示すように、その挿入方向後端面が蓋体１５の各突起部１６に当接する。この状態においては、蓋体１５に加えている力（イジェクトボタン５ａを押し込む力）と、イジェクトボタン５ａの押し込みに連動して作動する排出機構によって排出されるメモリカード７から蓋体１５に加わる力とが釣り合う結果、蓋体１５の閉位置への回動が阻止される。これにより、蓋体１５を閉めようとした利用者は、誤ってイジェクトボタン５ａを排出可能位置に突出させたままの状態でメモリカード７をカード装着部５に装着したことを認識することができる。したがって、利用者は、まず、蓋体１５を開いた後に、イジェクトボタン５ａをロック位置に押し込んでロック状態に移行させる。この際に、メモリカード７がイジェクトボタン５ａの押し込みによってカード装着部５から排出される。次いで、蓋体１５を閉位置に回動させる。これにより、カード装着部５から排出されているメモリカード７が蓋体１５によってカード装着部５に再度押し込まれる。この結果、メモリカード７が正常に装着され、かつ蓋体１５が正常に閉じられる。なお、蓋体１５によるメモリカード７のカード装着部５への押し込みに代えて、利用者が手でメモリカード７をカード装着部５に押し込むこともできる。
【００２４】
このように、この測定器１では、蓋体１５の裏面に突起部１６が形成されると共に、蓋体１５が開位置から閉位置に回動される際に、カードスロット１３を介してカード装着部５に不完全な状態で装着されているメモリカード７の挿入方向後端面を突起部１６を介して押動することによってメモリカード７をカード装着部５に押し込み可能に構成されている。このため、この測定器１によれば、カード装着部５にメモリカード７が不完全な状態で装着されていたとしても、蓋体１５を閉位置まで回動させて、突起部１６を介して蓋体１５でメモリカード７をカード装着部５内に押し込むことにより、メモリカード７を完全な状態でカード装着部５に装着させることができる。したがって、メモリカード７のカード装着部５への装着状態において蓋体１５が閉位置にあるときには、メモリカード７は常に完全な状態でカード装着部５に装着されていると判別することができる。
【００２５】
また、この測定器１では、蓋体１５が開位置から閉位置に回動される際に、蓋体１５の裏面が突出状態のイジェクトボタン５ａ（排出可能位置にあるイジェクトボタン５ａ）に当接して押動する。したがって、この測定器１によれば、イジェクトボタン５ａが排出可能位置にある状態においてメモリカード７をカード装着部５に装着して、イジェクトボタン５ａが突出状態（排出可能位置にある状態）となっているときにおいて、蓋体１５を閉位置に回動させようとしたとしても、蓋体１５によってイジェクトボタン５ａが挿通孔１４内に押し込まれることでカードスロット１３から排出されるメモリカード７が蓋体１５と当接するため、蓋体１５の閉位置への回動が阻止される。このため、この測定器１によれば、利用者は、回動させようとしている蓋体１５の回動が阻止されることにより、イジェクトボタン５ａを排出可能位置に突出させたままの状態でメモリカード７をカード装着部５に誤って装着したことを認識することができる。
【００２６】
なお、本発明は、上記した発明の実施の形態に限定されず、適宜変更が可能である。例えば、上述した実施の形態の構成に加えて、蓋体１５と凹部１２の壁面１２ｂ，１２ｃとの凹凸嵌合部位に、一例としてねじりコイルばねなどのばね部材を配置することもできる。この構成によれば、ばね部材によって蓋体１５が閉位置に向けて常時付勢される構成とすることができるため、装着状態のメモリカード７がカード装着部５から振動などによって突出しようとしたとしても、蓋体１５に形成された突起部１６が直ちにメモリカード７と当接することにより、メモリカード７の突出を防止することができる。
【００２７】
また、測定器１の構成は上記した構成に限定されず、測定部を備えた構成の測定器であってもよい。また、電子機器の一例として測定器を例に挙げて説明したが、データ収集装置や検査装置など、測定器以外の様々な機器に対しても本願発明を適用できるのは勿論である。
【図面の簡単な説明】
【００２８】
【図１】測定器１の構成を示す構成図である。
【図２】イジェクトボタン５ａが基準位置にある状態でのカードスロット１３へのメモリカード７の挿入状態を示すパネル面１１における蓋体１５近傍の要部拡大図である。
【図３】蓋体１５が閉位置にある状態のパネル面１１における蓋体１５近傍の要部拡大図である。
【図４】イジェクトボタン５ａが基準位置にある状態でメモリカード７をカード装着部５に完全に装着した状態を示すパネル面１１における蓋体１５近傍の要部拡大図である。
【図５】イジェクトボタン５ａが排出可能位置にある状態でメモリカード７がカード装着部５に完全に装着されている状態を示すパネル面１１における蓋体１５近傍の要部拡大図である。
【図６】排出可能位置にあるイジェクトボタン５ａを挿通孔１４内に押し込んでメモリカード７をカードスロット１３から突出させた状態を示すパネル面１１における蓋体１５近傍の要部拡大図である。
【図７】不完全な状態でカードスロット１３に挿入されたメモリカード７を蓋体１５で押し込んでいる状態を示す測定器１の構成図である。
【図８】図７の状態でのパネル面１１における蓋体１５近傍の要部拡大図である。
【符号の説明】
【００２９】
１  測定器
２  機器本体
５  カード装着部
５ａ  イジェクトボタン
７  メモリカード
１３  カードスロット
１５  蓋体
１６  突起部
【図１】
2008269011.tif 000003
【図２】
2008269011.tif 000004
【図３】
2008269011.tif 000005
【図４】
2008269011.tif 000006
【図５】
2008269011.tif 000007
【図６】
2008269011.tif 000008
【図７】
2008269011.tif 000009
【図８】
2008269011.tif 000010